【手続補正書】
【提出日】平成18年6月8日(2006.6.8)
【手続補正１】
【補正対象書類名】明細書
【補正対象項目名】特許請求の範囲
【補正方法】変更
【補正の内容】
【特許請求の範囲】
【請求項１】
前方端に光ビームを受光する入力ポートを備え、後方端に前記光ビームを送り出す出力ポートを備える構成を形成するように光学的に直列に整列された第１のアイソレータアセンブリ及び第２のアイソレータアセンブリと、
前記第１のアイソレータアセンブリと前記第２のアイソレータアセンブリとの間に配置されて、前記前方端から前記後方端に順方向に伝搬する光ビームを集束させるための集束手段とを含み、前記第１と第２のアイソレータアセンブリがそれぞれ、
前記順方向に伝搬する前記光ビームの第１と第２の偏光成分を分離するための変位手段と、
前記変位手段の後方に配置されて、それを通って伝搬する偏光成分を回転させるが、その回転が、逆方向に伝搬する光の偏光成分に対して前記順方向に伝搬する第１と第２の偏光成分の回転について非可逆的に行われる、非可逆手段と、及び
前記非可逆手段の後方に配置されて、前記第１と第２の偏光成分を結合するための再結合手段とを含み、
前記第１と第２のアイソレータアセンブリはそれぞれ、前記光ビームが前記第１のアイソレータアセンブリから出射する際、及び前記光ビームが前記第２のアイソレータアセンブリに入射する際の屈折を補償するために、前記集束手段を通る前記光ビームの伝搬方向に対して角度θ及び−θに配置されている、マルチポート非可逆光学装置。
【請求項２】
前記第１のアイソレータアセンブリの前記変位手段と前記再結合手段が、前記第２のアイソレータアセンブリの前記変位手段と前記再結合手段のウォークオフ方向に対してほぼ垂直な共通のウォークオフ方向を有する、請求項１に記載の装置。
【請求項３】
前記第１のアイソレータアセンブリに隣接して配置された第３のアイソレータアセンブリと、前記第２のアイソレータアセンブリに隣接して配置された第４のアイソレータアセンブリとをさらに含む、請求項１に記載の装置。
【請求項４】
前記構成が、複数の入力ポート、及び複数の出力ポートを含み、前記集束手段が、複数のレンズを含み、前記入力及び出力ポートと前記レンズによって、入力光学ラインから所定の出力光学ラインへの光ビームの伝搬光路が提供される、請求項１に記載の装置。
【請求項５】
前記複数のレンズが、基板上に形成されたマイクロレンズである、請求項４に記載の装置。
【請求項６】
前記非可逆手段が、ファラデー回転子、及び二分の一波長板を含む、請求項１に記載の装置。
【請求項７】
前記変位手段と前記再結合手段が、ウォークオフ結晶である、請求項１に記載の装置。
【請求項８】
前記ウォークオフ結晶が、熱拡大コア光ファイバから出射する前記光ビームを受け入れるための厚さを有する、請求項７に記載の装置。
【請求項９】
入力光学ラインに結合された光学ラインホルダをさらに含み、前記光学ラインホルダが、前記集束手段を通る前記光ビームの伝搬方向に対して角度θに前記入力光学ラインを配置するように設計されている、請求項１に記載の装置。
【請求項１０】
光ビームを受光する入力ポートを備え、２つの第１の複屈折要素間に配置された第１のファラデー回転子、及び第１の二分の一波長板を含み、前記２つの第１の複屈折要素が共通のウォークオフ方向を有する、第１のアイソレータアセンブリと、
前記第１のアイソレータアセンブリから前記光ビームを受光するように前記第１のアイソレータアセンブリと光学的に直列をなし、前記第１のアイソレータアセンブリから受光した前記光ビームを送るための、出力ポートとの出射表面を有し、２つの第２の複屈折要素間に配置された第２のファラデー回転子、及び第２の二分の一波長板を含み、前記２つの第２の複屈折要素が、前記２つの第１の複屈折要素の前記共通のウォークオフ方向に対して垂直な共通のウォークオフ方向を有する、第２のアイソレータアセンブリと、
前記第１のアイソレータアセンブリと前記第２のアイソレータアセンブリとの間に配置されて、前記第１のアイソレータアセンブリから前記第２のアイソレータアセンブリに伝搬する前記光ビームを集束させるための集束手段とを含む、非可逆光学装置。
【請求項１１】
前記第１のアイソレータアセンブリと前記第２のアイソレータアセンブリはそれぞれ、前記光ビームが前記第１のアイソレータアセンブリから出射する際、及び前記光ビームが前記第２のアイソレータアセンブリに入射する際の屈折を補償するために、前記集束手段を通る前記光ビームの伝搬方向に対して角度θ及び−θに配置されている、請求項１０に記載の装置。
【請求項１２】
前記第１のアイソレータアセンブリに隣接して配置された第３のアイソレータアセンブリと、前記第２のアイソレータアセンブリに隣接して配置された第４のアイソレータアセンブリとをさらに含み、前記第３と第４のアイソレータアセンブリのそれぞれが、２つの複屈折要素間に配置されたファラデー回転子、及び二分の一波長板を有する、請求項１０に記載の装置。
【請求項１３】
前記第１のアイソレータアセンブリの前記入力ポートが、複数の入力ポートの１つであり、前記第２のアイソレータアセンブリの前記出力ポートが、複数の出力ポートの１つであり、前記集束手段が、前記第１のアイソレータアセンブリと前記第２のアイソレータアセンブリとの間に配置された一対の協働するレンズを含み、受光した光ビームの少なくとも１つが、前記協働するレンズに軸からずれた位置で入射するようになっており、前記協働するレンズが、前記第１のアイソレータアセンブリから前記受光した光ビームのそれぞれを、前記複数の出力ポートから選択された所定の出力ポートに送るように光学的に直列に配置されている、請求項１０に記載の装置。
【請求項１４】
前記第１のアイソレータアセンブリの前記入力ポートが、複数の入力ポートの１つであり、前記第２のアイソレータアセンブリの前記出力ポートが、複数の出力ポートの１つであり、前記集束手段が、前記第１のアイソレータアセンブリと前記第２のアイソレータアセンブリとの間に配置された複数の専用レンズを含み、前記専用レンズのそれぞれが、所定の入力ポートから対応する出力ポートに光ビームを結合するように配置されている、請求項１０に記載の装置。
【手続補正２】
【補正対象書類名】明細書
【補正対象項目名】００１０
【補正方法】変更
【補正の内容】
【００１０】
【課題を解決するための手段】
光学非可逆装置、好ましくは光アイソレータと複数入力光ファイバから複数出力光ファイバへの光信号の伝搬を分離する方法において、２つのウォーク・オフ結晶間に配置された非可逆回転子アセンブリによって形成される、コンパクトなアイソレータ・チップが利用される。非可逆回転子アセンブリには、ファラデー回転子及び二分の一波長板が含まれるのが望ましい。非可逆回転子アセンブリによって、順方向に伝搬する光ビームの偏光成分が９０゜回転し、逆方向に伝搬する光ビームの偏光成分は回転がほとんど０゜になる。非可逆回転子アセンブリは、時計廻り方向または反時計廻り方向の回転を生じさせることが可能である。逆方向において入力まで伝搬する唯一の光エネルギは、非可逆回転子アセンブリによって生じる不完全な回転の結果である、逆方向に伝搬する光ビームの偏光成分の一部である。
【手続補正３】
【補正対象書類名】明細書
【補正対象項目名】００２３
【補正方法】変更
【補正の内容】
【００２３】
ファラデー回転子２６及び二分の一波長板２８によって、順方向に伝搬する光の偏光成分が時計廻り方向に回転する。ファラデー回転子２６及び二分の一波長板２８の組み合わせによって、順方向に伝搬する光ビームの偏光成分が９０゜回転する。ファラデー回転子２６によって、偏光成分が４５゜回転する。二分の一波長板によって、偏光成分がさらに４５゜回転する。逆方向の場合、ファラデー回転子２６及び二分の一波長板２８による偏光成分の回転は、ほぼ０゜になる。二分の一波長板によって、逆方向に伝搬する光ビームの偏光成分が反時計廻り方向に４５゜回転する。しかし、ファラデー回転子２６によって、逆方向に伝搬する光ビームの偏光成分が時計廻り方向に４５゜回転し、二分の一波長板２８による回転が相殺される。